(57)【要約】【課題】  簡単な構成で、衝撃音等を低く抑えることができる手動式シャッター装置を提供する。【解決手段】  手動式シャッター装置１０は、建築物の開口部１の左右に立設された一対のガイドレール１１，１１と、このガイドレールに沿って昇降移動可能なシャッターカーテン１２と、開口部の上部に設けられてシャッターカーテンを巻き取る巻取ドラムと、シャッターカーテンの開時に該シャッターカーテンの全開時手前で該シャッターカーテンの移動を一旦停止させる停止手段と、を備えている。【選択図】      図１
2006336359.tif 000002
【特許請求の範囲】
【請求項１】
建築物の開口部の左右に立設された一対のガイドレールと、このガイドレールに沿って昇降移動可能なシャッターカーテンと、前記開口部の上部に設けられて前記シャッターカーテンを巻き取る巻取ドラムと、前記シャッターカーテンの開時に該シャッターカーテンの全開時手前で該シャッターカーテンの移動を一旦停止させる停止手段と、を備えていることを特徴とする手動式シャッター装置。
【発明の詳細な説明】
【技術分野】
【０００１】
本発明は、シャッターカーテンを手動で開閉する手動式シャッター装置に関する。
【背景技術】
【０００２】
手動式シャッター装置は、建築物等の開口部の左右に立設された一対のガイドレールに沿ってシャッターカーテンが昇降可能に設けられ、このシャッターカーテンを巻取ドラムに巻き取ることでシャッターカーテンを引き上げて開口部を開放し、シャッターカーテンを巻取ドラムから引き出して開口部を閉塞するようになっている。
【０００３】
前記巻取ドラムは、コイルばね等の付勢部材を備えており、シャッターカーテンを引き出す時に、巻取ドラムの回転に伴って付勢力を蓄え、シャッターカーテンを開ける時に、この付勢力により操作力を軽減するか、またはこの付勢力のみでシャッターカーテンを巻取ドラムに巻き取るようになっている。
【０００４】
このような手動式シャッター装置では、開放操作時に、付勢部材の付勢力に操作力が加わって、シャッターカーテンの移動速度が大きくなり、シャッターボックスの下面にシャッターカーテンの下端のストッパ部が勢い良く衝突することがある。このような衝突は、大きな衝突音を発生させるとともに、シャッターカーテン等に大きな衝撃力を与える。特に、近年、建築物の開口部が大きくなり、これに伴ってシャッター装置が大型化し、上記の衝突の際の衝撃力等が大きくなっており、これを防止することが望まれている。
【０００５】
そこで、従来、衝撃緩衝装置としてエアダンパーを設けることが提案されている（例えば、特許文献１参照）。これは、シャッターボックスの左右両側に、全開状態となる少し前にシャッターカーテンのストッパ部に当接するように、操作ロッドを下向きにしてエアダンパーを設けたものである。このエアダンパーは、ロッド体（ロッド）の先端に設けられたシール体（シール）によって筒体内に気密室が形成されるとともに、ロッド体とシール体との間に排気口が形成されており、気密室内の空気を圧縮しつつ排気口から空気を排出することにより、シャッターカーテンの移動速度を減速するようになっている。
【０００６】
【特許文献１】特開２００４−３１６３２９号公報
【発明の開示】
【発明が解決しようとする課題】
【０００７】
しかしながら、このようなエアダンパーを用いた衝撃緩衝装置は、シャッターカーテンが全開時の直前で、エアダンパーがストッパ部に当接して衝撃を緩和する構造であるので、シャッターカーテンの速度が相当に大きくなってからエアダンパーを作用させることになるため、エアダンパーの負担が大きく、故障の発生や耐久性の面で問題があり、また衝撃音等も十分に低くするのは困難であるという問題がある。
【０００８】
本発明は、このような事情に鑑みて為されたもので、簡単な構成で、衝撃音等を低く抑えることができる手動式シャッター装置を提供することを目的とする。
【課題を解決するための手段】
【０００９】
前記目的を達成するために、請求項１に記載の手動式シャッター装置は、建築物の開口部の左右に立設された一対のガイドレールと、このガイドレールに沿って昇降移動可能なシャッターカーテンと、前記開口部の上部に設けられて前記シャッターカーテンを巻き取る巻取ドラムと、前記シャッターカーテンの開時に該シャッターカーテンの全開時手前で該シャッターカーテンの移動を一旦停止させる停止手段と、を備えていることを特徴とする。
【発明の効果】
【００１０】
請求項１に記載の手動式シャッター装置によれば、シャッターカーテンを開ける際、全開状態より手前で、停止手段によりシャッターカーテンの移動が一旦停止し、その後シャッターカーテンが全開状態になり、シャッターカーテンのストッパ部等がシャッターボックス等に衝突する。したがって、全開操作時に、たとえシャッターカーテンを上方に押し上げた場合などでも、シャッターカーテンの移動速度がそれほど大きくならずに、シャッターカーテンのストッパ部等がシャッターボックス等に衝突することになるので、このときの衝突音を低く抑制できるとともに、シャッターカーテン等に大きな衝撃力が作用するのを抑制できる。
【発明を実施するための最良の形態】
【００１１】
以下、図面を参照しながら、本発明の実施の形態を説明する。
図１は、本発明の第１の実施の形態に係る手動式シャッター装置を屋内側から見た図である。
この手動式シャッター装置１０は、建築物の開口部１の左右に立設される一対のガイドレール１１，１１と、このガイドレール１１，１１に沿って昇降可能に設けられたシャッターカーテン１２と、開口部１の上側に設けられ、シャッターカーテン１２を巻き取る巻取ドラム（図示せず）とを備えている。巻取ドラムはシャッターボックス（図示せず）内に設けられている。そして、巻取ドラムにシャッターカーテン１２が巻き取られることにより、シャッターカーテン１２がガイドレール１１，１１に沿って上昇して、開口部１が開放され、一方巻取ドラムからシャッターカーテン１２を引き出して、開口部１を閉塞するようになっている。
【００１２】
シャッターカーテン１２は、例えば、複数個の細長いスラットが上下方向に互いに連結されて構成される。このシャッターカーテン１２の上端部は、巻取ドラムに固定されている。また、シャッターカーテン１２の下端には、巾木１２ａが設けられている。
巻取ドラムは、付勢部材（図示せず）を備えており、シャッターカーテンを引き出す時に、巻取ドラムの回転に伴って付勢力を蓄え、シャッターカーテンを開ける時に、この付勢力により操作力を軽減するか、またはこの付勢力のみでシャッターカーテン１２を巻取ドラムに巻き取るようになっている。この付勢部材は、例えば、巻取ドラムとシャッターボックスとの間に張設されたコイルばね等により構成される。本例では、全開時手前３０〜５０ｃｍ程度でシャッターカーテン１２から手を離すと、巻取ドラムの付勢部材の付勢力によりシャッターカーテン１２が巻き取られ、それより手前で手を離しても、シャッターカーテン１２はその位置に留まるように、付勢部材の付勢力が設定されている。
【００１３】
シャッターカーテン１２の巾木１２ａの屋内側の中央部には、円形の回転板２０が取付軸２１を中心に左右方向に回転自在に設けられている。この回転板２０には、取付軸２１に対して上下の点対称の位置に、上下一対の棒状のアーム２２，２２の一端部がそれぞれ、ピン２３，２３により自由に動けるようにして連結されている。各アーム２２，２２はそれぞれ、左右のガイドレール１１，１１に向かってほぼ水平に延び、他端部がガイドレール１１，１１の途中まで達している。各アーム２２，２２は、回転板２０が図１において右方向（時計方向）に回転すると、各ガイドレール１１，１１から離れる方向にほぼ水平に移動するようになっている。本例では、図１において左側のアーム２２が、回転板２０のほぼ上端部に一端部を連結されており、回転板２０が右方向に回転すると、右方向に移動して、他端部が左のガイドレール１１から離れ、一方右側のアーム２２が、回転板２０のほぼ下端部に一端部を連結されており、回転板２０が右方向に回転すると、左方向に移動して、他端部が右のガイドレール１１から離れるようになっている。各アーム２２，２２は、巾木１２ａに設けられた案内部材２４，２４により、ほぼ水平方向に移動するように規制されている。
【００１４】
回転板２０には、ロープ２５の上端部が固定されており、このロープ２５は下方に垂れ下がっている。このロープ２５を下方に引くことにより、回転板２０が回転し、各アーム２２，２２が各ガイドレール１１，１１から離れる方向に移動するようになっている。本例では、ロープ２５を引くと、回転板２０が図１において右方向（時計方向）に回転するようになっている。なお、巾木１２ａには、ロープ２５を引いたときに、回転板２０が必要以上に回転するのを阻止するストッパ（図示せず）が設けられている。
【００１５】
また、回転板２０には、復帰用部材２６の一端部がピン２７により自由に動けるようにして連結されている。この復帰用部材２６の他端部の鍔部２６ａと巾木１２ａの鍔部２８との間には、ばね（付勢部材）２９が設けられており、このばね（圧縮ばね）２９により、回転板２０が図１において左方向（反時計方向）に回転するように付勢され、その結果常時は各アーム１１，１１の他端部がガイドレール１１，１１の途中まで達する状態に位置している。
【００１６】
一方、各ガイドレール１１，１１にはそれぞれ、本例では、シャッターカーテン１２から手を離すと、巻取ドラムの付勢部材の付勢力によりシャッターカーテン１２が自動的に巻き取られるように設定した高さ位置である、シャッターカーテン１２の全開時手前３０〜５０ｃｍの高さ位置に、ローラー３０，３０が回転自在に設けられている。
【００１７】
このように構成された手動式シャッター装置１０においては、シャッターカーテン１２を開ける際、全開状態より手前３０〜５０ｃｍ程度の位置で、各アーム２２，２２の他端部がそれぞれ各ローラー３０，３０に当接し、シャッターカーテン１２が一旦停止する。その後、ロープ２５を下方に少し引くと、回転板２０が右方向（時計方向）に少し回転し、この回転板２０の回転に伴って、各アーム２２，２２の他端部がそれぞれ各ローラー３０、３０から離れる方向に移動する。この各アーム２２，２２の他端部がそれぞれ、各ローラー３０，３０より内側に位置した状態になると、巻取ドラムの付勢部材の付勢力によりシャッターカーテン１２が巻き取られる。
一方、シャッターカーテン１２を閉めるには、ロープ２５を引きながらシャッターカーテン１２を引き出せばよい。このようにすると、各アーム２２，２２の他端部がそれぞれ各ローラー３０、３０に当接することなく、各ローラー３０，３０を通過することができる。
【００１８】
この手動式シャッター装置１０にあっては、全開操作時に、全開時手前、すなわち巻取ドラムの付勢部材の付勢力によりシャッターカーテン１２が自動的に巻き取られるように設定した範囲（いわば、自動巻取範囲）にシャッターカーテン１２が入ってから直ぐに、各アーム２２，２２の他端部をそれぞれ各ローラー３０，３０に当接させて、シャッターカーテン１２を一旦停止させ、その後シャッターカーテン１２をまた移動させる。したがって、シャッターカーテン１２を上方に押し上げた場合などでも、シャッターカーテン１２の移動速度が大きくなる前にシャッターカーテン１２が一旦停止し、その後移動して、シャッターカーテン１２のストッパ部がシャッターボックス等に衝突するので、シャッターカーテン１２の移動速度がそれほど大きくならずに、シャッターカーテン１２のストッパ部がシャッターボックス等に衝突することになるため、このときの衝突音を低く抑制できるとともに、シャッターカーテン１２等に大きな衝撃力が作用するのを抑制できる。特に、手動式シャッター装置１０が大型の場合には、シャッターカーテン１２が全開になる前に手が届かなくなるために押し上げ操作をする場合が多く、この衝突音および衝撃力が大きくなり易いので、効果的である。
このように、手動式シャッター装置１０にあっては、回転板２０、アーム２２，２２およびローラー３０，３０等を用いた簡単な構成により、シャッターカーテン１２のストッパ部がシャッターボックス等に衝突する際の衝突音等を抑制することができる。
【００１９】
図２は、本発明の第２の実施の形態に係る手動式シャッター装置を屋内側から見た図である。なお、図２において、図１と同一構成要素には同一符号を付してその説明を省略する。
この手動式シャッター装置４０では、シャッターカーテン１２の巾木１２ａの屋内側の両端部にそれぞれ、十字状の回転体５０，５０が、巾木１２ａに固定された取付軸５１を中心に、左右方向に回転自在に設けられている。
【００２０】
図３に示すように、取付軸５１には、回転体５０を挟んで、係合部材６１とばね（付勢部材）６２とが設けられている。係合部材６１は取付軸５１に固定されており、この係合部材６１には、凹部６１ａが設けられており、この凹部（係合部）６１ａに、回転体５０に周方向に等間隔に設けられた４つの凸部（係合部）５０ａが嵌合するようになっている。そして、ばね（圧縮ばね）６２が回転体５０を係合部材６１側に軽く付勢しており、回転体５０が取付軸５１を中心に９０度回転する毎に、凸部５０ａが係合部材６１の各凹部６１ａに嵌合し、これにより回転体５０が係合部材６１に軽く固定されるようになっている。４つの凸部５０ａと凹部６１ａとは、回転体６０が回転して４つのアーム６５が上下左右に位置するときに、各凸部５０ａと凹部６１ａとが嵌合するように、位置決めされている。なお、係合部材６１に周方向に等間隔に４つの凹部６１ａを設け、回転体５０にこれに嵌合する１つの凸部５０ａを設けるようにしてもよいし、また係合部材６１に凸部を設け、回転体５０に凹部を設けるようにしてよい。要は、回転体６０が回転して４つのアーム６５が上下左右に位置するときに、回転体５０が係合部材６１に係合し、軽く固定されるようになっていればよい。またアームは４つでなくてもよい。
【００２１】
また、取付軸５１には、ばね６２を挟んで回転体５０と反対側に、カラー６６が外挿されており、このカラー６６が取付軸５２に取り付けられた抜け止め部材６７により取付軸５２から抜け落ちないようになっている。カラー６６の長さを変えることにより、ばね６２の付勢力を変えて、ばね６２が回転体５０を係合部材６１に押し付ける力を変えられるようになっている。すなわち、カラー６６はばね６２の付勢力調整部材として機能する。付勢力調整部材としては、カラー６６を用いる代わりに、取付軸５１にナット部材を螺合させ、このナット部材のねじ込み量を変化させるようにしてもよい。
【００２２】
このように構成された手動式シャッター装置４０においては、シャッターカーテン１２を開ける際、全開状態より手前３０〜５０ｃｍ程度の位置で、各回転体５０，５０の外側に水平に延びるアーム６５，６５がそれぞれ各ローラー３０，３０に当接し、シャッターカーテン１２が一旦停止する。その後、シャッターカーテン１２を少し押し上げると、回転体５０のローラー３０に当接しているアーム６５がローラー３０により下方に押され、その結果回転体５０の凸部５０ａと係合部材６１の凹部６１ａとの係合がばね６２の付勢力に抗して外れて、回転体５０が回転し、ローラー３０に当接していたアーム６５が水平状態から垂直状態になってゆき、これによりシャッターカーテン１２が上昇できるようになり、巻取ドラムの付勢部材の付勢力によりシャッターカーテン１２が巻き取られる。回転体５０は、９０度回転すると、他の凸部５０ａが係合部材６１の凹部６１ａに係合する。
【００２３】
なお、回転体５０の凸部５０ａと係合部材６１の凹部６１ａとの係合状態およびばね６２の付勢力を調整し、回転体５０の凸部５０ａと係合部材６１の凹部６１ａとの係合を外れ易くし、回転体５０を簡単に回転するように設定すれば、各回転体５０，５０の外側に水平に延びるアーム６５，６５がそれぞれ各ローラー３０，３０に当接して、シャッターカーテン１２が減速されつつ、各アーム６５，６５がそれぞれ回転して各ローラー３０，３０を通過するようになる。
【００２４】
一方、シャッターカーテン１２を閉めるには、シャッターカーテン１２を引き出せばよい。このようにすると、回転体５０のローラー３０に外側に水平に延びるアーム６５がローラー３０により上方に押され、その結果回転体５０の凸部５０ａと係合部材６１の凹部６１ａとの係合がばね６２の付勢力に抗して外れて、回転体５０が回転し、ローラー３０に当接していたアーム６５が水平状態から垂直状態になってゆき、これによりアーム６５がローラー３０を通過する。回転体５０は、９０度回転すると、他の凸部５０ａが係合部材６１の凹部６１ａに係合する。
【００２５】
この手動式シャッター装置４０にあっては、全開操作時に、全開時手前、すなわち巻取ドラムの付勢部材の付勢力による自動巻取範囲にシャッターカーテン１２が入ってから直ぐに、回転体５０の各アーム６５，６５をそれぞれ各ローラー３０，３０に当接させて、シャッターカーテン１２を一旦停止させ、その後シャッターカーテン１２をまた移動させる。したがって、シャッターカーテン１２を上方に押し上げた場合などでも、シャッターカーテン１２の移動速度が大きくなる前にシャッターカーテン１２が一旦停止し、その後移動して、シャッターカーテン１２のストッパ部がシャッターボックス等に衝突するので、シャッターカーテン１２の移動速度がそれほど大きくならずに、シャッターカーテン１２のストッパ部がシャッターボックス等に衝突することになるため、このときの衝突音を低く抑制できるとともに、シャッターカーテン１２等に大きな衝撃力が作用するのを抑制できる。
このように、手動式シャッター装置４０にあっては、回転体５０，５０およびローラー３０，３０等を用いた簡単な構成により、シャッターカーテン１２のストッパ部がシャッターボックス等に衝突する際の衝突音等を抑制することができる。
【００２６】
なお、本発明は、前述の実施の形態に限定されるものではなく、種々変更可能である。
例えば、前述の各実施の形態では、ガイドレール１１にローラー３０を設けるようにしたが、シャッターボックス等に設けた部材等にローラー３０を設置するようにしてもよい。
また、回転自在なローラー３０を用いずに、回転しないストッパ部材を設けるようにしてもよい。さらに、このようなローラー３０等のストッパ部材を上下に複数設け、シャッターカーテン１２を複数回停止させるようにしてもよい。
また、ローラー３０に当接するアーム２２の部分やアーム６５の部分に緩衝材を設けるようにしてもよい。
【００２７】
また、前述の各実施の形態では、全開時手前３０〜５０ｃｍ程度でシャッターカーテン１２から手を離すと、巻取ドラムの付勢部材の付勢力によりシャッターカーテン１２が巻き取られ、それより手前で手を離しても、シャッターカーテン１２はその位置に留まるように、付勢部材の付勢力を設定したが、これに代えて、シャッターカーテン１２がもっと閉まっている状態で、手を離すと巻取ドラムの付勢部材の付勢力によりシャッターカーテン１２が巻き取られるようにするなど、その設定はどのようにしてもよい。
【図面の簡単な説明】
【００２８】
【図１】本発明の第１の実施の形態に係る手動式シャッター装置を屋内側から見た図である。
【図２】本発明の第２の実施の形態に係る手動式シャッター装置を屋内側から見た図である。
【図３】回転体の部分を示す図であって、（ａ）は正面図、（ｂ）は側面図である。
【符号の説明】
【００２９】
１    開口部
１０，４０    手動式シャッター装置
１１    ガイドレール
１２    シャッターカーテン
３０    ローラー
【図１】
2006336359.tif 000003
【図２】
2006336359.tif 000004
【図３】
2006336359.tif 000005